(57)【特許請求の範囲】
【請求項１】
信号発生器と、前記信号発生器にネットワークによって接続された複数のラジエータとを含む赤外線音声伝送システムを構成するための方法であって、前記方法は、前記複数のラジエータのうちの少なくとも１つにおいて、
遅延補償構成メッセージを前記ネットワークで受信すること（１０５０）と、
前記受信した遅延補償構成メッセージに従って、続いて放出される信号内に導入されるべき遅延量を格納すること（１０６０）と、
を含み、前記方法は、
前記ネットワークのノードにおいて、
少なくとも１つの試験信号を前記ネットワークで前記複数のラジエータに伝送すること（１０１０）と、
前記少なくとも１つの試験信号によってトリガされたイベントを検出すること（１０２０）と、
前記イベントに基づいて前記ノードと前記ラジエータとの間のそれぞれの伝送遅延を決定すること（１０３０）とをさらに含み、前記それぞれの伝送遅延は前記遅延補償構成メッセージに含まれており、
前記イベントを検出すること（１０２０）は、前記少なくとも１つの試験信号の反射を検出することを含む、方法。
【請求項２】
前記ラジエータは、それぞれのネットワークインターフェースによって前記ネットワークにデイジーチェーンまたはリングアーキテクチャで接続され、前記方法は、前記少なくとも１つの試験信号を伝送することに先立って前記それぞれのネットワークインターフェースのインピーダンスを選択的に変更することをさらに含む、請求項１に記載の方法。
【請求項３】
前記ラジエータは、それぞれの上流ネットワークインターフェースおよび下流ネットワークインターフェースによってデイジーチェーンアーキテクチャで前記ネットワークに接続され、
前記方法は、
前記少なくとも１つの試験信号を伝送することに先立って、前記ラジエータの全てにおいて前記下流ネットワークインターフェースを無効にすることと、
第１の試験信号の受信に続く所定時間の後に、前記ラジエータのうちの第１のラジエータのそれぞれの下流ネットワークインターフェースを有効にすることと、
次の試験信号の受信に続く所定時間の後に、前記ラジエータのうちの次のラジエータのそれぞれの下流ネットワークインターフェースを有効にすることと、
前記ラジエータの各々において、それぞれの試験信号の受信までの合計経過時間から、前記デイジーチェーンの前記ラジエータのうちの１つのラジエータの相対位置を導出することと、
をさらに含む、請求項１または請求項２に記載の方法。
【請求項４】
前記複数のラジエータにおいて、音声チャネルの組を示す赤外線信号を伝送すること（１０７０）をさらに含み、前記赤外線信号は前記格納された遅延量だけ遅延されている、請求項１〜３のうちいずれか１項に記載の方法。
【請求項５】
プロセッサに、請求項１〜４のうちいずれか１項に記載の方法を実行させる、コンピュータプログラム。
【請求項６】
ネットワークによってそれ自体に接続された赤外線音声伝送システムにおいて複数のラジエータを構成するための構成ノード（１００）であって、前記構成ノード（１００）は、
少なくとも１つの試験信号を前記ネットワークで前記複数のラジエータに伝送し（１０１０）、
前記少なくとも１つの試験信号によってトリガされたイベントを検出し（１０２０）、前記イベントを検出することは、前記少なくとも１つの試験信号の反射を検出することを含み、
前記反射に基づいて前記構成ノード（１００）と前記ラジエータとの間のそれぞれの伝送遅延を決定し（１０３０）、かつ、
遅延補償構成メッセージを前記ネットワークで伝送する（１０４０）ように構成され、前記それぞれの伝送遅延は前記遅延補償構成メッセージに含まれている、構成ノード。
【請求項７】
前記遅延補償構成メッセージ内の伝送されるべき前記伝送遅延を適応させて、それぞれのデイジーチェーン構成において、ラジエータの複数の分岐の間で同期がとられるようにさらに構成された、請求項６に記載の構成ノード。
【請求項８】
ネットワークによってそれ自体に接続可能な信号発生器を含む赤外線音声伝送システムで使用されるラジエータ（２０１、２０２、２０３）であって、前記信号発生器は請求項６または請求項７に記載の構成ノードを含み、前記ラジエータ（２０１、２０２、２０３）は、
前記ネットワークで遅延補償構成メッセージを受信し（１０５０）、かつ、
前記受信した遅延補償構成メッセージに従って、次に放出される信号に導入されるべき遅延量を格納する（１０６０）ように構成されている、ラジエータ。
【発明の詳細な説明】
【技術分野】
【０００１】
関連出願の相互参照
本特許出願は、２０１５年４月７日に欧州特許庁に出願された欧州特許出願ＥＰ１５  １６２  ６６５の利益およびこの出願に基づく優先権を主張する。欧州特許出願ＥＰ１５  １６２  ６６５の、すべての表、図面、および特許請求の範囲を含む内容全体をすべての目的のために本明細書に引用により援用する。これは、ＰＣＴ規則４．１８に基づく、ＰＣＴ規則２０．５（ａ）に規定されている本明細書に含まれていない明細書、特許請求の範囲または図面のいずれかの要素または部分の援用を含む。
【０００２】
発明の分野
本発明は、周波数変調赤外線域にわたって音声信号を伝送するための方法およびシステムに関する。そのようなシステムは、たとえば、会議、展覧会、ガイド付きツアーなどで使用される。
【背景技術】
【０００３】
背景
Sennheiser Electronic KG名義のＤＥ  ２４３１９３７  Ａｌでは、会議での通訳から会議に出席する代表者によって身に着けられるヘッドホンのレシーバまでの、異なる言語での音声フィードの多重チャネル赤外線伝送の使用について記載されている。
【０００４】
「赤外線放射を用いた音声および/または映像ならびに関連信号の伝送システム―第７部：会議および同様の用途のためのデジタル音声信号」という題名の国際規格ＩＥＣ６１６０３−７では、４５ｋＨｚ〜１ＭＨｚおよび２ＭＨｚ〜６ＭＨｚの周波数範囲を用いた会議通訳または同様のシステムの拡張として、デジタル多重チャネル・多重キャリア音声伝送システムの特徴について述べられている。
【０００５】
トランスミッタと呼ばれることもある、変調信号を１つ以上のラジエータに供給する信号生成機を備えるシステムが知られている。ラジエータは、信号発生器によって供給された信号を光信号として、特に、赤外線放射の形態で伝送する。十分な赤外線信号で広い空間をカバーするために、複数のラジエータを使用しなければならない。典型的に、複数のラジエータはデイジーチェーン構成で信号発生器に接続されている。
【０００６】
公知のシステムの欠点は、複数のラジエータを使用する場合、デイジーチェーンの異なる位置で異なるラジエータの赤外線信号の同期をとるために、人為的な遅延を導入するようにこれらのラジエータを手動で構成しなければならないことである。ラジエータを手動で構成するには、ラジエータのコントロールパネルへのアクセスが必要になるが、ラジエータがその動作位置（通常、壁のかなりの高い場所）に搭載された後では、このパネルに手を伸ばすことは難しくなる。
【０００７】
本発明の実施形態の目的は、このような欠点を少なくとも部分的に避けることである。
【発明の概要】
【課題を解決するための手段】
【０００８】
発明の概要
本発明の一実施形態によると、信号発生器と、信号発生器にネットワークによって接続された複数のラジエータとを含む赤外線音声伝送システムを構成するための方法が提供される。この方法は、複数のラジエータのうちの少なくとも１つにおいて、
遅延補償構成メッセージをネットワークで受信することと、受信した遅延補償構成メッセージに従って、続いて放出される信号内に導入されるべき遅延量を格納することとを含む。
【０００９】
本発明の利点は、ラジエータの手動構成を避けられることである。
一実施形態では、本発明に係る方法は、ネットワークのノードにおいて、少なくとも１つの試験信号をネットワークで複数のラジエータに伝送することと、少なくとも１つの試験信号によってトリガされたイベントを検出することと、
イベントに基づいてノードとラジエータとの間のそれぞれの伝送遅延を決定することとをさらに含み、それぞれの伝送遅延は、遅延補償構成メッセージに含まれている。
【００１０】
本実施形態の利点は専門家による遅延補償値の予測または計算が必要でないことであるが、これらの値は、自動信号応答分析に基づいて自動的に決定可能である。
【００１１】
特定の実施形態では、イベントを検出することは、複数のラジエータのうちの少なくとも１つによって伝送された応答を検出することを含む。
【００１２】
この実施形態では、ラジエータは、試験信号を認識して、試験信号の受信後特定の遅延内に所定の応答を送信するロジックを備える。
【００１３】
特定の実施形態では、イベントを検出することは、少なくとも１つの試験信号の反射を検出することを含む。
【００１４】
本実施形態の利点はラジエータが能動的に試験信号に応答する必要がないことであり、これによって、可変追加遅延を導入可能である。その代わりに、伝送線／ラジエータインターフェースに存在する、伝送媒体でのインピーダンス変化によって、電磁気試験信号の部分反射が発生する。この反射を、公知の時間領域反射光測定技術によって、試験が行なわれたセグメントの遅延量を決定するよう検出および計時することができる。
【００１５】
特定の実施形態では、ラジエータは、それぞれのネットワークインターフェースによってデイジーチェーンまたはリングアーキテクチャでネットワークに接続される。本方法は、少なくとも１つの試験信号の伝送に先立ってそれぞれのネットワークインターフェースのインピーダンスを選択的に変更することをさらに含む。
【００１６】
本実施形態の利点は、連続したステップで反射を測定することによって、さまざまなセグメントの遅延をより正確に判定できることである。
【００１７】
本発明に係る方法の一実施形態では、ラジエータは、それぞれの上流ネットワークインターフェースおよび下流ネットワークインターフェースによってデイジーチェーンアーキテクチャでネットワークに接続される。本方法は、少なくとも１つの試験信号を伝送することに先立って、ラジエータの全てにおいて下流インターフェースを無効にすることと、第１の試験信号の受信に続く所定時間の後に、ラジエータのうちの第１のラジエータのそれぞれの下流インターフェースを有効にすることと、次の試験信号の受信に続く所定時間の後に、ラジエータのうちの次のラジエータのそれぞれの下流インターフェースを有効にすることと、ラジエータの各々において、それぞれの試験信号の受信までの合計経過時間から、デイジーチェーンのラジエータのうちの１つのラジエータの相対位置を導出することとをさらに含む。
【００１８】
本実施形態の利点は、連続するステップでセグメントを測定することによって、さまざまなセグメントの遅延をより正確に判定できることである。加えて、本実施形態によって、ラジエータはチェーン内のそれぞれの位置を決定することができる。この効果は、有利なことに、ラジエータから信号発生器への（すなわち、アップリンク）通信がない状況でも得ることができる。ラジエータがそれぞれの位置を知っていることを考慮すると、遅延構成メッセージは、簡易な方法でフォーマット可能である。つまり、必要とされる遅延補償値は、チェーンにおけるさまざまな位置のために設けられる。
【００１９】
一実施形態では、本発明に係る方法は、複数のラジエータにおいて、音声チャネルの組を示す赤外線信号を伝送することをさらに含み、赤外線信号は格納された遅延量だけ遅延されている。
【００２０】
本実施形態は、ラジエータの機能の動作段階を備える。
本発明の一態様によると、プロセッサに上述の方法を実行させるように構成されたコード手段を備えるコンピュータプログラム製品が提供される。
【００２１】
本発明の一態様によると、ネットワークによってそれ自体に接続された赤外線音声伝送システムにおいてラジエータを構成するための構成ノードが提供される。この構成ノードは、少なくとも１つの試験信号をネットワークで複数のラジエータに伝送し、少なくとも１つの試験信号によってトリガされたイベントを検出し、反射に基づいてノードとラジエータとの間のそれぞれの伝送遅延を決定し、かつ、遅延補償構成メッセージをネットワークで伝送するように構成され、それぞれの伝送遅延は遅延補償構成メッセージに含まれている。
【００２２】
一実施形態では、本発明に係る構成ノードは、遅延補償構成メッセージ内の伝送されるべき伝送遅延を適応させてそれぞれデイジーチェーン構成でラジエータの複数の分岐の効果を組合わせるようにさらに構成されている。
【００２３】
本実施形態は、分岐ごとに測定された遅延線を組合わせて全遅延線測定結果を得る必要があるという、発明者の見識に基づいている。本実施形態の利点は、異なるデイジーチェーン分岐のための遅延測定結果を１つにまとめることによって、各分岐内のラジエータはそれらの間だけでなく、他の分岐のラジエータに対しても同期がとられることである。
【００２４】
本発明の一態様によると、ネットワークによってそれ自体に接続可能な信号発生器を含む赤外線音声伝送システムで使用されるラジエータが提供される。このラジエータは、遅延補償構成メッセージをネットワークで受信し、かつ、受信した遅延補償構成メッセージに従って、次に放出される信号に導入されるべき遅延量を格納するように構成されている。
【００２５】
本発明のコンピュータプログラム製品、構成ノード、およびラジエータの実施形態の技術的効果および利点は、必要に応じて変更を加えて、本発明に係る方法の対応する実施形態の技術的効果および利点に対応する。
【００２６】
本発明の実施形態のこれらおよび他の特徴および利点を、添付の図面を参照して以下で詳細に説明する。
【図面の簡単な説明】
【００２７】
【図１】信号発生器、複数のラジエータ、および複数のレシーバを備える、本発明の一実施形態に係る会議システムを模式的に示す図である。
【図２】本発明の実施形態に係る方法のステップのフローチャートである。
【図３】本発明に係る方法の一実施形態を示すフローチャートとシグナルチャートとを組み合わせて示す図である。
【発明を実施するための形態】
【００２８】
実施形態の説明
図１は、本発明の一実施形態に係る会議システムを模式的に示す図である。このシステムは、トランスミッタとも呼ばれることのある、変調信号を１つ以上のラジエータに供給する信号発生器１００を備える。十分な赤外線信号で広い空間をカバーするために、複数のラジエータを使用しなければらない。典型的に、複数のラジエータは、デイジーチェーン構成で信号発生器に接続されており、そのようなオープンチェーンを図１に示す。
【００２９】
一般性を失うことなく、３つのラジエータ２０１〜２０３が図に示されている。実際には、最大で約２０までの多数のラジエータを使用してもよい。ラジエータ２０１〜２０３は、信号発生器１００によって供給された信号を光信号として、特に赤外線放射の形態で伝送する。干渉を避けるために、さまざまなラジエータによって放出された信号の同期をとらなければならない。これには、さまざまなラジエータをチェーンで接続する伝送線によって導入された遅延を補償する必要がある。本発明の実施形態によると、遅延補償値は、自動的に決定可能である。本発明によると、ラジエータは適切な遅延補償値を用いて遠隔から構成される。
【００３０】
ラジエータによって伝送された信号は、会議に出席する代表者によって携帯される、手持ちのレシーバによって受信される。図面を簡潔にするために、図では１つの例示的なレシーバ３００のみを示している。図示されたレシーバ３００は、変調赤外線信号において分配された音声信号を受信するための赤外線トランシーバを有する。
【００３１】
無線で分配された音声信号は、会議、展覧会、ガイド付きツアーなどで伝送されるような音声信号であり得る。特に、これらは、任意の方法（たとえば、別々のＦＭ変調周波数帯）によって変調された、異なる言語で翻訳または通訳されたものと同じテキストの多重チャネル伝送であり得る。これらのチャネルは、圧縮されていない、または圧縮されたアナログまたはデジタル信号を含み得、音声情報に加えて、データ、制御および/または管理信号を含み得る。
【００３２】
レシーバ３００は、典型的には手持ち式のデバイスである。手持ち式という用語は、デバイスを片手に持てるような一般的な形状、サイズ、および重量を示すために使用される。つまり、この用語は、ベルトクリップ、首ひも、ブレスレットなどを有するデバイスのような、他の携行手段のためにデザインが最適化される実施形態を除外するものではない。
【００３３】
本発明によると、複数の音声チャネルを周波数変調赤外線域にわたって伝送する。
本発明の一実施形態に係る構成ノードは、信号発生器１００に含まれていてもよい。構成ノードは、ラジエータ２０１〜２０３を構成するために使用される。構成ノードは、少なくとも１つの試験信号を複数のラジエータにネットワークで伝送し、該少なくとも１つの試験信号によってトリガされたイベントを検出し、反射に基づいてノードとラジエータとの間のそれぞれの伝送遅延を決定し、かつ、ネットワークで遅延補償構成メッセージを伝送するために構成されており、それぞれの伝送遅延は遅延補償構成メッセージに含まれている。
【００３４】
ラジエータ２０１〜２０３は、ネットワークで遅延補償構成メッセージを受信し、かつ、受信した遅延補償構成メッセージに従って連続して放出される信号に導入されるべき遅延量を格納するように構成されている。
【００３５】
遅延補償構成に関する構成ノードおよびラジエータの機能は、専用のハードウェア（たとえば、ＡＳＩＣ）、構成可能なハードウェア（たとえば、ＦＰＧＡ）、プログラム可能な構成要素（たとえば、ＤＳＰもしくは適切なソフトウェアを有する一般的なプロセッサなど）、またはそれらの組合せによって実現可能である。同じ構成要素が他の機能を備えている場合もある。
【００３６】
図２は、本発明の実施形態に係る方法ステップのフローチャートである。
フローチャートの上部は、本発明の基本的な実施形態における、構成ノードによって実行されるステップを示す。最初のステップ１０１０で、構成ノードは試験信号を伝送する。続くステップ１０２０で、構成ノードは、試験信号によってトリガされたイベントを検出する。このイベントは、ラジエータの場所におけるインピーダンスの変化によって引き起こされた試験信号の物理的反射、または、ラジエータのうちの１つによって試験メッセージに応じて能動的に伝送されたメッセージであり得る。３番目のステップ１０３０で、構成ノードは関連する伝送遅延を（たとえば、公知の時間領域反射技術を使用して）決定し、必要とされる遅延補償値を計算してラジエータの伝送の同期をとる。最後のステップ１０４０で、構成ノードは１つ以上の遅延補償構成メッセージを伝送して、これによってラジエータを構成する。
【００３７】
フローチャートの下部は、本発明の基本的な実施形態における、ラジエータによって実行されるステップを示す。最初のステップ１０５０で、ラジエータは上述の遅延補償構成メッセージを受信する。その特定のラジエータのために遅延補償構成メッセージによって要求される遅延量は、次のステップ１０６０でラジエータに格納される。最後に、ラジエータが通常動作モード１０７０の状態では、以前に格納された、必要とされる補償遅延が、赤外線信号の全ての伝送に先行する。
【００３８】
図３は、本発明に係る方法の実施形態を示すフローチャートとシグナルチャートとを組み合わせて示す図である。異なるエンティティにおいて行なわれる動作を、別個の列で示す。時間の流れは、チャートの上から下である。イベントの順番は実線の矢印で示され、点線の矢印は、メッセージフローを示すために用いられる。ここで想定されるのは、上流リンク（あるラジエータから、信号発生器から遠ざかる方向の次のラジエータへ）を選択的に無効にできる、図１のオープンデイジーチェーントポロジである。
【００３９】
第１の段階で、構成ノード１００は、ラジエータ２０１、２０２、および２０３にデイジーチェーンに沿って伝送される初期メッセージを伝送することによって、構成シーケンスを開始する。このメッセージを受信すると、各ラジエータはその下流インターフェースを切断する（好ましくは、これは、初期メッセージが伝搬するように、短時間の遅延の後に行なわれる）。次に、ラジエータは、時間の経過を追う。
【００４０】
初期メッセージはデータパケットとして送信可能である。上述のように、その構造は受信者によって認識可能であり、その内容は、下流インターフェースを切断して時間追跡を開始する命令を抽出するように、構文解析可能である。加えて、または代替的に、初期メッセージを、線上の電圧レベルの変化から構成される所定の信号、または他の認識可能な変調パターンとして送信し得る。
【００４１】
次の段階で、第１の所定遅延の後、構成ノード１００は、デイジーチェーンに沿って伝送された第１の試験信号をラジエータ２０１のみに伝送する。なぜなら、他の下流ラジエータは全て切り離されているからである。ラジエータ２０１は、所定の時間間隔内で第１の試験信号を受信する唯一のラジエータであり、これに基づいて、それ自体がチェーンにおける第１のラジエータであると判断できる。次に、ラジエータ２０１はその下流インターフェースを再び始動する。ラジエータ２０１は、受動的に試験信号を反射、または能動的に試験信号に応答して、構成ノード１００に一往復遅延を測定させ、かつ、それに応じて適当な遅延補償値を決定させる。
【００４２】
次の段階で、第２の所定遅延の後、構成ノード１００は、デイジーチェーンに沿って伝送された第２の試験信号を、ラジエータ２０１、２０２に伝送する。なぜなら、他の下流ラジエータは全て切り離されているからである。ラジエータ２０２は、所定の時間間隔内で第１の信号として第２の試験信号を受信する唯一のラジエータであり、これに基づいて、それ自体がチェーンにおける第２のラジエータであると判断できる。次に、ラジエータ２０２はその下流インターフェースを再び始動する。ラジエータ２０２は、受動的に試験信号を反射、または能動的に試験信号に応答して、構成ノード１００に一往復遅延を測定させ、かつ、それに応じて適当な遅延補償値を決定させる。
【００４３】
次の段階で、第３の所定遅延の後、構成ノード１００は、デイジーチェーンに沿って伝送された第３の試験信号を、ラジエータ２０１、２０２および２０３に伝送する。なぜなら、他の下流ラジエータは全て切り離されているからである。ラジエータ２０３は、所定の時間間隔内で第１の信号として第３の試験信号を受信する唯一のラジエータであり、これに基づいて、それ自体がチェーンにおける第３のラジエータであると判断できる。次に、ラジエータ２０３はその下流インターフェースを再び始動する。ラジエータ２０３は、受動的に試験信号を反射、または能動的に試験信号に応答して、構成ノード１００に一往復遅延を測定させ、かつ、それに応じて適当な遅延補償値を決定させる。
【００４４】
試験信号を送り出し続けると、構成ノード１００は、そのうち新しい反射／反応が何も検出されないことに気付き、ラジエータのネットワークのトポロジビューが完成したと分かる。この時点で、構成ノード１００は、上述のようにさまざまなラジエータに適当な遅延補償値を送信することができ、システムは通常動作に戻ることができる。
【００４５】
本発明を特定の実施形態を参照して説明したが、これは本発明を例示するものであり限定するものではなく、本発明の範囲は特許請求の範囲によって規定される。当業者であれば、ここで説明された特徴とは異なる特徴の組み合わせが請求項に記載の本発明の範囲内で可能であると、容易に理解するであろう。
【図１】
0006728222.tif 000002
【図２】
0006728222.tif 000003
【図３】
0006728222.tif 000004